(57)【要約】【課題】入隅空間及びその周辺の外観を含めた設計の自由度に富んだ建物を提供する。【解決手段】天井梁１２と柱１１とを接合させた骨組みを有するとともに、上方が庇状に覆われた入隅空間２が形成されるユニット建物１０である。そして、入隅空間に隣接する出隅の柱１１Ａに一端が接合されて入隅空間の外縁となる一辺を形成する軒先梁３１と、軒先梁の他端に接合される支柱３２と、軒先梁とそれに対向する天井梁１２Ｂに両側縁が支持されて入隅空間を覆う庇パネル４とを備えている。【選択図】図１
2015083771.tif 000002
【特許請求の範囲】
【請求項１】
天井梁と柱とを接合させた骨組みを有するとともに、少なくとも高さ方向の一部に上方が庇状に覆われた入隅空間が形成される建物であって、
前記入隅空間に隣接する出隅の柱に一端が接合されて前記入隅空間の外縁となる一辺を形成する外縁梁と、
前記外縁梁の他端に接合される支持体と、
前記外縁梁とそれに対向する支持材に両側縁が支持されて前記入隅空間を覆う上部体とを備えたことを特徴とする建物。
【請求項２】
前記支持体は、支柱であることを特徴とする請求項１に記載の建物。
【請求項３】
前記支持体は、前記入隅空間に隣接する出隅の柱に一端が接合されて前記外縁梁と略直交する補助梁と、前記補助梁を下方から支持させる支柱とを備え、
前記外縁梁の他端は、前記補助梁の側面に接合されることを特徴とする請求項１に記載の建物。
【請求項４】
前記外縁梁は、前記出隅の柱に接合される天井梁の軸方向に延伸されており、前記支持材は、前記入隅空間を挟んで前記外縁梁と略平行に配置された天井梁であることを特徴とする請求項１乃至３のいずれか一項に記載の建物。
【請求項５】
前記出隅の柱側の外縁梁の端部には、前記柱の上端面に載置させるための突出片が形成されていることを特徴とする請求項１乃至４のいずれか一項に記載の建物。
【請求項６】
前記上部体は、庇パネルであることを特徴とする請求項１乃至５のいずれか一項に記載の建物。
【請求項７】
前記庇パネルの両側縁には、前記外縁梁及びそれに略平行な天井梁に引っ掛けるための受け金具がそれぞれ取り付けられていることを特徴とする請求項６に記載の建物。
【請求項８】
前記上部体は、屋内空間が形成される上階ユニットであることを特徴とする請求項１乃至７のいずれか一項に記載の建物。
【請求項９】
前記入隅空間の下方には下階が存在し、前記支柱の下端はその下階の柱の上端に接合されることを特徴とする請求項２乃至８のいずれか一項に記載の建物。
【請求項１０】
前記外縁梁は、２本のＣ形鋼のウェブどうしを接合させることによって形成されることを特徴とする請求項１乃至９のいずれか一項に記載の建物。
【請求項１１】
前記２本のＣ形鋼のウェブ間に補強板を介在させることを特徴とする請求項１０に記載の建物。
【請求項１２】
梁と柱とによって骨組みが形成される建物ユニットを複数、隣接させて構成されるユニット建物であることを特徴とする請求項１乃至１１のいずれか一項に記載の建物。
【発明の詳細な説明】
【技術分野】
【０００１】
本発明は、建物の入隅となる部分にベランダや玄関ポーチや車庫スペースなどの上方が庇状に覆われた入隅空間が形成される建物に関するものである。
【背景技術】
【０００２】
特許文献１には、住宅の玄関の庇を延長するとともに、車庫スペースの屋根と一体化させた延長庇を有する家屋の構造が開示されている。この延長庇は、鋼製の枠材によって四方が囲まれた剛性の高い庇ユニットを連結することで構築されている。そして、延長庇の張り出された隅角部は、地上に立てられた柱体によって支持されている。
【０００３】
また、特許文献２には、家屋本体の天井梁と同一の梁せいの梁を骨組みとする延長庇が開示されている。この特許文献２の延長庇も、延長庇自体の剛性が高いため、張り出された軒先を柱体によって下から支持させるだけで安定させることができる。
【先行技術文献】
【特許文献】
【０００４】
【特許文献１】特開２００３−２３２０７５号公報
【特許文献２】特開２００３−２３２０９８号公報
【発明の概要】
【発明が解決しようとする課題】
【０００５】
しかしながら庇で覆われる空間は、地上階だけでなく、ベランダのように２階以上の高さにも設けたい場合がある。また、庇状に覆うために、パネル状の部材を設置するだけでなく、上階の下面を利用したい場合もある。
【０００６】
さらに、吹き抜けのような高い空間や広い空間及び外観などを自由に設計したいという要望もある。
【０００７】
そこで、本発明は、入隅空間及びその周辺の外観を含めた設計の自由度に富んだ建物を提供することを目的としている。
【課題を解決するための手段】
【０００８】
前記目的を達成するために、本発明の建物は、天井梁と柱とを接合させた骨組みを有するとともに、少なくとも高さ方向の一部に上方が庇状に覆われた入隅空間が形成される建物であって、前記入隅空間に隣接する出隅の柱に一端が接合されて前記入隅空間の外縁となる一辺を形成する外縁梁と、前記外縁梁の他端に接合される支持体と、前記外縁梁とそれに対向する支持材に両側縁が支持されて前記入隅空間を覆う上部体とを備えたことを特徴とする。
【０００９】
また、天井梁と柱とを接合させた骨組みを有するとともに、少なくとも高さ方向の一部に上方が庇状に覆われた入隅空間が形成される建物であって、前記入隅空間に隣接する出隅の柱に一端が接合されて前記入隅空間の外縁となる一辺を形成する外縁梁と、前記外縁梁の他端に接合される支柱と、前記外縁梁とそれに対向する支持材に両側縁が支持されて前記入隅空間を覆う上部体とを備えたことを特徴とする。
【００１０】
さらに、前記支持体は、前記入隅空間に隣接する出隅の柱に一端が接合されて前記外縁梁と略直交する補助梁と、前記補助梁を下方から支持させる支柱とを備え、前記外縁梁の他端は、前記補助梁の側面に接合される構成とすることができる。
【００１１】
ここで、前記外縁梁は、前記出隅の柱に接合される天井梁の軸方向に延伸されており、前記支持材は、前記入隅空間を挟んで前記外縁梁と略平行に配置された天井梁とすることができる。また、前記出隅の柱側の外縁梁の端部には、前記柱の上端面に載置させるための突出片が形成されているのが好ましい。
【００１２】
さらに、前記上部体は、庇パネルとすることができる。また、前記庇パネルの両側縁には、前記外縁梁及びそれに略平行な天井梁に引っ掛けるための受け金具がそれぞれ取り付けられた構成とすることができる。これに対して、前記上部体を、屋内空間が形成される上階ユニットにすることもできる。
【００１３】
また、前記入隅空間の下方には下階が存在し、前記支柱の下端はその下階の柱の上端に接合される構成とすることができる。さらに、前記外縁梁は、２本のＣ形鋼のウェブどうしを接合させることによって形成されていてもよい。また、前記２本のＣ形鋼のウェブ間に補強板を介在させることもできる。
【００１４】
そして、これらのような建物は、梁と柱とによって骨組みが形成される建物ユニットを複数、隣接させて構成されるユニット建物とすることができる。
【発明の効果】
【００１５】
このように構成された本発明の建物は、入隅空間の外縁となる一辺を形成する外縁梁の一端が出隅の柱に接合されるとともに、他端が支持体に支持されることによって入隅空間を補強する構造（補強体）が構築される。そして、入隅空間の上方を覆う上部体の一側縁が、補強体の外縁梁によって支持される。
【００１６】
このため、入隅空間の主構造が予め配置された状態となるので、庇パネルや上階ユニットなど様々な部材を上部体として配置することができるようになり、入隅空間周辺の外観などの設計の自由度に富んだ建物を構築することができる。
【００１７】
また、支持体が支柱であれば、簡単に設けることができる。さらに、外縁梁に略直交される補助梁と、その補助梁を下方から支持させる支柱とによって支持体を構成する場合は、支柱の無い張り出し部分を形成することができる。
【００１８】
また、入隅空間を挟んで略平行に配置される外縁梁と天井梁とに上部体の両側縁を支持させるのであれば、上部体を高剛性の庇パネルにしなくても安定して支持させることができる。
【００１９】
さらに、外縁梁の端部に柱の上端面に載置させるための突出片を設けることで、外縁梁を容易に架け渡すことができる。また、庇パネルの両側縁に外縁梁及び天井梁に引っ掛けるための受け金具をそれぞれ取り付けておくことで、容易に庇パネルを設置することができる。
【００２０】
また、補強体の支柱を下階の柱に接合させることで、支持力の大きな支柱にすることができる。さらに、外縁梁を２本のＣ形鋼で形成することで、高剛性の梁にすることができる。特に、Ｃ形鋼のウェブ間に補強板を介在させることで、さらに梁の剛性を上げることができる。
【００２１】
そして、このような建物は、梁と柱とによって骨組みが形成される建物ユニットを複数、隣接させて構成されるユニット建物にすることで、容易に構築することができる。
【図面の簡単な説明】
【００２２】
【図１】本発明の実施の形態のユニット建物の構成を示した説明図である。
【図２】補強体を組み立てる工程と、庇パネルを設置する工程とを説明する斜視図である。
【図３】軒先梁の端部の接合方法を説明する図であって、（ａ）は出隅側の説明図、（ｂ）は開放隅側の説明図である。
【図４】庇パネルの取り付け方法を示した説明図である。
【図５】入隅空間の庇パネル周辺の構成を説明する図であって、（ａ）は妻側の断面図、（ｂ）は軒先梁の軸方向の中央付近の断面図である。
【図６】軒先側の出隅周辺の構成を説明する図であって、（ａ）は平面図、（ｂ）は（ａ）のＡ−Ａ矢視方向で見た側面図である。
【図７】開放隅周辺の構成を説明する図であって、（ａ）は平面図、（ｂ）は（ａ）のＢ−Ｂ矢視方向で見た側面図である。
【図８】軒元側の出隅周辺の構成を説明する図であって、（ａ）は平面図、（ｂ）は（ａ）のＣ−Ｃ矢視方向で見た断面図である。
【図９】入隅周辺の構成を説明する図であって、（ａ）は平面図、（ｂ）は（ａ）のＤ−Ｄ矢視方向で見た断面図である。
【図１０】実施例１の庇パネル周辺の構成を説明する断面図である。
【図１１】実施例１の別の形態の庇パネル周辺の構成を説明する断面図である。
【図１２】実施例２で説明する様々な形態のユニット建物の構成を示した説明図である。
【図１３】実施例２で説明する様々な形態のユニット建物の構成を示した説明図である。
【図１４】実施例２で説明する様々な形態のユニット建物の構成を示した説明図である。
【図１５】実施例３の補強体を組み立てる工程と、庇パネルを設置する工程とを説明する斜視図である。
【図１６】実施例３のユニット建物の構成を示した説明図である。
【図１７】図１６のＡ部の構成を説明する図であって、（ａ）は妻側から見た側面図、（ｂ）は桁側から見た正面図である。
【図１８】図１６のＢ部の構成を説明する図であって、（ａ）は妻側から見た側面図、（ｂ）は桁側から見た断面図である。
【図１９】図１６のＣ部の構成を説明するために妻側から見た側面図である。
【発明を実施するための形態】
【００２３】
以下、本発明の実施の形態について図面を参照して説明する。図１は、本実施の形態の建物としてのユニット建物１０の全体の概略構成を説明するための斜視図である。
【００２４】
このユニット建物１０は、複数の建物ユニット１，・・・を隣接させて構築される２階建ての住宅である。このユニット建物１０には、１階の建物ユニット１の上に２階の建物ユニット１が設置される部分と、１階の建物ユニット１の上方が庇状に覆われた入隅空間２となる部分とがある。
【００２５】
この入隅空間２は、２階に平面視Ｌ字状に並べられた３つの建物ユニット１，１，１の平面視略長方形の入隅部に形成される。ここで、入隅空間２の四隅を、隣接する建物ユニット１との位置関係で、出隅２１、開放隅２２、軒元側出隅２３、入隅２４と名付ける。
【００２６】
入隅空間２は、床面２ａが１階の建物ユニット１の上面に形成される。また、上方は上部体としての庇パネル４によって覆われる。すなわち入隅空間２は、隣接する２階の建物ユニット１，１の少なくとも一方から出入りができるようになっているベランダである。あるいは、庇付きバルコニーとも呼べる。
【００２７】
一方、建物ユニット１は、４本の柱１１と、その柱１１，１１の上端間に架け渡される梁としての天井梁１２と、柱１１，１１の下端間に架け渡される梁としての床梁１３とによって構造部材となる骨組構造体が構成される。
【００２８】
この骨組構造体は、図２に示すように、柱１１と天井梁１２とがジョイントピース１４を介して溶接によって剛接合されるとともに、柱１１と床梁１３ともジョイントピース１４を介して溶接によって剛接合されたラーメン構造体となっている。
【００２９】
この柱１１は、角形鋼管などの閉断面の材料によって形成されている。一方、天井梁１２は、図５（ａ）に示すように、Ｃ形鋼などの開放断面の材料によって形成されている。
【００３０】
ここで、図１に示すように、２階の建物ユニット１の外縁を形成する天井梁１２のうち、一端が出隅２１に接合されて、軸方向が入隅空間２の外縁となる一辺に連続する梁を、天井梁１２Ａとする。すなわち天井梁１２Ａは、入隅空間２に隣接する建物ユニット１の桁方向の外縁側の梁である。一方、軒元側出隅２３と入隅２４とを繋ぐ梁を、天井梁１２Ｂとする。
【００３１】
そして、天井梁１２Ａの軸方向に連続する入隅空間２の桁側の外縁には、庇パネル４を支持させるための補強体３が設けられる。この補強体３は、出隅２１の柱１１Ａに一端が接合される外縁梁として軒先梁３１と、軒先梁３１の他端に接合される支持体としての支柱３２とによって主に構成される。
【００３２】
軒先梁３１は、図２に示すように天井梁１２Ａと軸方向が一致する方向に向けて、天井梁１２Ａの上面と同じ上面高さとなるように架け渡される。この軒先梁３１によって、入隅空間２の外縁となる一辺が形成される。
【００３３】
軒先梁３１は、例えばウェブ３１ａと上下のフランジ３１ｂ，３１ｃとを有するＣ形鋼（溝形鋼）などの開放断面の鋼材によって形成される。詳細には、図５（ａ）に示すように、ウェブ３１ａと平行な垂直片がフランジ３１ｂ，３１ｃの縁部に形成されたリップ付きＣ形鋼を使用することができる。
【００３４】
軒先梁３１の出隅２１側の端部には、図３（ａ）に示すように突出片３１１を形成するためのＬ金具３１０が取り付けられる。このＬ金具３１０は、柱１１Ａの上端面を形成する蓋部１１ｂに載置させるための突出片３１１と、突出片３１１の縁部から垂下されて軒先梁３１の端部を塞ぐ閉塞部３１２とが一体に形成されている。
【００３５】
そして、閉塞部３１２には、柱１１Ａの側面に接合させるためのボルト用の穴３１４，３１４が穿孔されている。この穴３１４，３１４は、突出片３１１を柱１１Ａの蓋部１１ｂに載置させたときに、柱側の穴１１ａ，１１ａと一致する位置に設けられている。これらの一致した穴３１４，１１ａに、図６に示すようにボルト３１３を通して柱１１Ａに軒先梁３１を接合させる。
【００３６】
一方、軒先梁３１の開放隅２２側の端部は、図３（ｂ）に示すように支柱３２の上端に接合される。この支柱３２は、下端が１階の建物ユニット１の柱１１の上端に接合されている。
【００３７】
そして、支柱３２の上端には、上端プレート３２ａが取り付けられる。また、上端プレート３２ａには、ボルト用の穴３２２が設けられる。
【００３８】
これに対して軒先梁３１の下側のフランジ３１ｃには、ボルト用の穴３１５ｂが穴３２２の位置に合わせて設けられている。そして、上下の穴３１５ｂ，３２２に、図７に示すようにボルト３２３を通して支柱３２に軒先梁３１を接合させる。
【００３９】
このようにして構築される補強体３に支持させる庇パネル４は、図２に示すように、長方形の長辺となる２つの側縁を形成する側枠４１，４１と、短辺となる２つの側縁を形成する妻枠４２，４２とによって外枠が構築される。
【００４０】
また、側枠４１，４１間には、妻枠４２と略平行となるように、間隔を置いて複数の根太４３，・・・が架け渡される。そして、庇パネル４の下面側は軒天材４６で覆われ、上面側には板材４４が敷設される。
【００４１】
これらの側枠４１、妻枠４２及び根太４３は、木材によって形成することができる。すなわち庇パネル４は、軒先梁３１と本体側の支持材としての天井梁１２Ｂとに架け渡されるだけなので、それほど剛性が高い部材で製作する必要がない。
【００４２】
側枠４１には、軒先梁３１又は天井梁１２Ｂに引っ掛けるために複数の受け金具４５，・・・が取り付けられる。この受け金具４５は、側面視逆Ｌ字状に形成されており、張出片４５１を軒先梁３１又は天井梁１２Ｂの上面に載置させる。
【００４３】
図５（ａ）に、軒先梁３１又は天井梁１２Ｂと受け金具４５との接合部周辺の構成を示した。受け金具４５は、下部がボルト４５ａによって側枠４１に固定されるとともに、張出片４５１が軒先梁３１又は天井梁１２Ｂの上面にボルト４５ｂによって固定される。
【００４４】
この図５（ａ）は、開放隅２２と軒元側出隅２３との間の庇パネル４周辺の断面を示している。支柱３２は、支柱カバー３２ｂで覆われ、天井梁１２Ｂ側の入隅空間２に接する面には外壁が配置されている。
【００４５】
一方図５（ｂ）は、軒先梁３１の軸方向の中央付近の位置で図５（ａ）と同じ方向で見た断面図である。この庇パネル４には、クレーンで吊り上げるための吊りボルト４７が、側枠４１に対してボルト４５ｃによって取り付けられている。
【００４６】
続いて、図６−９を参照しながら入隅空間２の四隅の詳細な構成について説明する。図６（ａ）は、出隅２１周辺の平面図である。また、図６（ｂ）は、図６（ａ）のＡ−Ａ矢視方向で見た側面図である。
【００４７】
この出隅２１は、入隅空間２の妻側に隣接する２階の建物ユニット１の天井梁１２Ａ，１２と柱１１Ａとの接合部に隣接している。柱１１Ａの上端は蓋部１１ｂで塞がれており、その蓋部１１ｂの上にＬ金具３１０の突出片３１１が載せられる。
【００４８】
この状態でＬ金具３１０の閉塞部３１２は柱１１Ａの側面に密着される。また、突出片３１１を蓋部１１ｂに載せただけで、軒先梁３１側の穴３１４，３１４と柱１１Ａ側の穴１１ａ，１１ａとが一致するようになっているため、位置合わせのための高さ調整作業が現地では不要であって、容易にボルト３１３，３１３によって柱１１Ａに固定することができる。このようにして軒先梁３１の一端が柱１１Ａに接合されることになる。
【００４９】
一方図７（ａ）は、開放隅２２周辺の平面図である。また、図７（ｂ）は、図７（ａ）のＢ−Ｂ矢視方向で見た側面図である。この開放隅２２は、入隅空間２の建物ユニット１と隣接することのない外部に面した隅部に形成される。
【００５０】
支柱３２の上端は、その本体断面よりも面積が広い上端プレート３２ａによって塞がれる。また、支柱３２の周囲は、円筒状の支柱カバー３２ｂによって囲まれる。
【００５１】
そして、軒先梁３１の下側のフランジ３１ｃの端部は、支柱３２の上端に載せられる。この状態でボルト３２３によって支柱３２に固定されて、軒先梁３１の他端が支柱３２に接合されることになる。
【００５２】
また、図６，７に示すように、庇パネル４は、受け金具４５とボルト４５ｂによって軒先梁３１に固定される。この受け金具４５は、予め側枠４１，４１に取り付けられているので、受け金具４５の張出片４５１を軒先梁３１上面に載せるだけで、容易にボルト４５ｂによる接合を行うことができる。なお、庇パネル４は、入隅空間２の妻側に隣接する建物ユニット１の天井梁１２には、固定されていない。
【００５３】
図８（ａ）は、軒元側出隅２３周辺の平面図である。また、図８（ｂ）は、図８（ａ）のＣ−Ｃ矢視方向で見た断面図である。この軒元側出隅２３は、入隅空間２の桁側に隣接する２階の建物ユニット１の天井梁１２Ｂ，１２と柱１１Ｂとの接合部に隣接している。
【００５４】
そして、図９（ａ）は、入隅２４周辺の平面図である。また、図９（ｂ）は、図９（ａ）のＤ−Ｄ矢視方向で見た断面図である。この入隅２４は、２階の３つの建物ユニット１，１，１の隅部が集まる位置に隣接している。
【００５５】
また、図８，９に示すように、庇パネル４は、受け金具４５とボルト４５ｂによって入隅空間２の桁側に隣接する建物ユニット１の天井梁１２Ｂには固定されているが、妻側に隣接する建物ユニット１の天井梁１２には固定されていない。すなわち庇パネル４は、桁側の両側縁にある側枠４１，４１側だけが軒先梁３１と天井梁１２Ｂにそれぞれ接合されて支持されることになる。
【００５６】
次に、本実施の形態のユニット建物１０の作用について説明する。
【００５７】
このように構成された本実施の形態のユニット建物１０は、入隅空間２の外縁となる一辺を形成する軒先梁３１の一端が出隅２１の柱１１Ａに接合されるとともに、他端が支柱３２に支持されることによって入隅空間２を補強する補強体３が構築される。そして、入隅空間２の上方を覆う庇パネル４の側枠４１が、補強体３の軒先梁３１によって支持される。
【００５８】
このため、入隅空間２の主構造となる補強体３が予め配置された状態となるので、剛性を抑えた簡素な構造の庇パネル４など様々な部材を上部体として配置することができるようになり、入隅空間２周辺の外観などの設計の自由度に富んだユニット建物１０を構築することができる。
【００５９】
すなわち、入隅空間２を挟んで略平行に配置される軒先梁３１と天井梁１２Ｂとに庇パネル４の両側枠４１，４１を支持させるのであれば、高剛性の庇パネル４にしなくても安定して支持させることができる。
【００６０】
また、軒先梁３１の端部に柱１１Ａの上端面となる蓋部１１ｂに載置させるための突出片３１１を設けることで、軒先梁３１を容易に架け渡すことができる。また、庇パネル４の両側枠４１，４１に軒先梁３１及び天井梁１２Ｂに引っ掛けるための受け金具４５，・・・をそれぞれ取り付けておくことで、容易に庇パネル４を設置することができる。
【００６１】
また、補強体３の支柱３２の下端を、１階の建物ユニット１の柱１１の上端に接合させることで、軒先梁３１を介して大きな力が作用しても対抗できるような支持力の大きな支柱３２にすることができる。
【００６２】
そして、このような建物は、梁（１２，１３）と柱１１とによって骨組みが形成される建物ユニット１，・・・を複数、隣接させて構成されるユニット建物１０にすることで、容易に構築することができる。
【実施例１】
【００６３】
以下、前記した実施の形態とは別の形態の実施例１について、図１０，１１を参照しながら説明する。なお、前記実施の形態で説明した内容と同一乃至均等な部分の説明については、同一用語又は同一符号を付して説明する。
【００６４】
前記実施の形態では、１本のＣ形鋼によって軒先梁３１を形成した。これに対して実施例１では、２本のＣ形鋼５１，５２で形成される外縁梁としての軒先梁５について説明する。
【００６５】
この軒先梁５は、図１０に示すように２本のＣ形鋼５１，５２を平行に並べて形成されている。それぞれのＣ形鋼５１，５２は、ウェブ５１ａ，５２ａ、上側のフランジ５１ｂ，５２ｂ及び下側のフランジ５１ｃ，５２ｃを有するリップ付きのＣ形鋼である。
【００６６】
そして、２本のＣ形鋼５１，５２は、それぞれのウェブ５１ａ，５２ａの背面側が接するように並べられ、ボルト５３，５３によって一体化されている。そして、外側のＣ形鋼５１が支柱３２及び柱１１Ａに接合される。
【００６７】
一方内側（入隅空間２側）のＣ形鋼５２の上面には、庇パネル４の側枠４１に取り付けられた受け金具４５の張出片４５１が載せられ、ボルト４５ｂによって固定される。このように軒先梁５を２本のＣ形鋼５１，５２を並べて一体化させた構成とすることで、高剛性の梁にすることができる。
【００６８】
さらに外縁梁の剛性を上げたい場合は、図１１に示すような軒先梁５Ａの構成とすることができる。この軒先梁５Ａは、２本のＣ形鋼５１，５２のウェブ５１ａ，５２ａ間に鋼製の補強板５４が介在されてボルト５３，５３によって一体化されている。このように、Ｃ形鋼５１，５２のウェブ５１ａ，５２ａ間に補強板５４を介在させることで、梁の剛性を増強させることができる。
【００６９】
なお、他の構成及び作用効果については、前記実施の形態又は他の実施例と略同様であるので説明を省略する。
【実施例２】
【００７０】
以下、前記した実施の形態及び実施例１とは別の形態の実施例２について、図１２−１４を参照しながら説明する。なお、前記実施の形態又は実施例１で説明した内容と同一乃至均等な部分の説明については、同一用語又は同一符号を付して説明する。
【００７１】
この実施例２では、様々な部材を上部体として配置できることについて説明する。前記実施の形態では、上部体として庇パネル４を入隅空間２の上方に設置したが、上部体はこれに限定されるものではない。
【００７２】
図１２（ａ）は、３階建てのユニット建物１０Ａの概略構成を示している。入隅空間２の上方は上部体としての上階ユニット６１によって覆われる。また、２階の建物ユニット１，１，１の上方にもそれぞれ上階ユニット６２，６２，６２が設置される。これらの上階ユニット６１，６２は、屋内空間が形成される建物ユニットであって、前記実施の形態で説明した建物ユニット１と同様の構成となる。
【００７３】
一方図１２（ｂ），（ｃ）に示したユニット建物１０Ｂ，１０Ｃは、入隅空間２の上方が三角柱状の上階ユニット６３，６４によって覆われる。この上部体としての上階ユニット６３，６４は、屋内空間が傾斜天井を有する空間になること以外は建物ユニット１と同様であるため説明は省略する。
【００７４】
このように上階ユニット６１，６３，６４で庇状に入隅空間２を覆う場合も、剛性の高い補強体３が設置されていれば、任意の形状や向きで上階ユニット６１，６３，６４を配置することができる。
【００７５】
続いて図１３（ａ）は、入隅空間２に繋がる延長空間７１と出島空間７２とが設けられたユニット建物１０Ｄを示している。この延長空間７１には、軒先梁３１に連続する軒先梁７１１と、その端部を接合させる支柱７１２とが外縁の一辺を形成するように配置されている。そして、軒先梁７１１とそれに対向する建物ユニット１に両側縁をそれぞれ支持させるように庇パネル４Ａが設置される。
【００７６】
また、出島空間７２を形成する１階の建物ユニット１の外縁には、軒先梁３１と対向する位置にそれと略平行となるように出梁７２１が設置される。また、出梁７２１の両端は、支柱７２２，７２２によってそれぞれ支持される。そして、軒先梁３１とそれに対向する出梁７２１に両側縁をそれぞれ支持させるように庇パネル４Ｂが設置される。
【００７７】
一方図１３（ｂ）には、入隅空間２を上階ユニット６１で覆うとともに、延長空間７１を庇パネル４Ａで覆ったユニット建物１０Ｅが示されている。この図１３に示したように、様々な形態の上部体（４，４Ａ，４Ｂ，６１）を組み合わせて配置することにより、入隅空間２及びそれに繋がる空間（７１，７２）を含めた設計の自由度に富んだユニット建物１０Ｄ，１０Ｅを構築することができる。
【００７８】
また図１４（ａ）には、２階分の高さのある入隅空間２Ａを有するユニット建物１０Ｆを示している。すなわち補強体３Ａを構成する支持体としての支柱３３が、地上から２階の屋根の高さまで延びる長尺部材となっている。
【００７９】
このように吹き抜けのようであって庇パネル４で覆われた入隅空間２Ａを形成することで、ユニット建物１０Ｆの外観の意匠性を高めることができる。また庇パネル４を、２階の居室内への日除けとして機能させることができるうえに、車庫スペースの屋根としても機能させることができる。
【００８０】
これに対して図１４（ｂ）には、２階の半分程度の高さの入隅空間２Ｂを有するユニット建物１０Ｇを示している。この入隅空間２Ｂの外縁に設置される補強体３Ｂは、建物ユニット１の柱１１Ａの途中に一端が接合される外縁梁としての軒先梁３４と、軒先梁３４の他端を接合させる２階の半分程度の高さの支持体としての支柱３５とによって主に構成されている。
【００８１】
そして、この補強体３Ｂとそれに対向する支持材としての建物ユニット１の桁側面とによって上階ユニット６１の両側縁を支持させることで、凹凸のあるユニット建物１０Ｇの外観を形成することができる。このように高さ違いにすることによって、居室の高さに影響されない「こもり感」のある入隅空間２Ｂを形成することができる。
【００８２】
なお、他の構成及び作用効果については、前記実施の形態又は他の実施例と略同様であるので説明を省略する。
【実施例３】
【００８３】
以下、前記した実施の形態及び実施例１，２とは別の形態の実施例３について、図１５−１９を参照しながら説明する。なお、前記実施の形態又は実施例１，２で説明した内容と同一乃至均等な部分の説明については、同一用語又は同一符号を付して説明する。
【００８４】
この実施例３では、入隅空間２Ｃに支柱の無い張り出し部分が形成されるユニット建物１０Ｈについて説明する。このユニット建物１０Ｈは、図１６に示すように、複数の建物ユニット１，１Ａ・・・を隣接させて構築される２階建ての住宅である。
【００８５】
ここで、建物ユニット１Ａは、妻側の幅が建物ユニット１の半分となる建物ユニットである。この建物ユニット１Ａが配置される上方が庇状に覆われた空間が入隅空間２Ｃとなる。
【００８６】
この入隅空間２Ｃの上方は上部体としての庇パネル４Ｃによって覆われる。また、入隅空間２Ｃは、隣接する２階の建物ユニット１，１の少なくとも一方から出入りができるようになっているベランダである。あるいは、庇付きバルコニーとも呼べる。ベランダの外縁（建物ユニット１Ａの上面外縁）には、手摺壁２５Ａ，２５Ｂが設けられる。
【００８７】
そして、この入隅空間２Ｃには、庇パネル４Ｃを支持させるための補強体８が設けられる。この補強体８は、図１５，１６に示すように、出隅２１の柱１１Ａに一端が接合される外縁梁として軒先梁８１と、軒先梁８１の他端に接合される支持体８２とによって主に構成される。
【００８８】
軒先梁８１は、図１５に示すように天井梁１２Ａと軸方向が一致する方向に向けて、天井梁１２Ａの上面と同じ上面高さとなるように架け渡される。この軒先梁８１によって、入隅空間２Ｃの外縁となる一辺が形成される。
【００８９】
軒先梁８１は、例えばウェブ８１ａと上下のフランジ８１ｂ，８１ｃとを有するＣ形鋼（溝形鋼）などの開放断面の鋼材によって形成される。詳細には、図１７に示すように、ウェブ８１ａと平行な垂直片がフランジ８１ｂ，８１ｃの縁部に形成されたリップ付きＣ形鋼を使用することができる。
【００９０】
一方、軒先梁８１の開放隅２２側の端部（図１６のＡ部）は、図１５に示すように端プレート８１１によって塞がれて、支持体８２の側面に接合される。
【００９１】
この支持体８２は、入隅空間２Ｃに隣接する出隅の柱１１Ｂに一端が接合されて軒先梁８１と略直交する補助梁としての出隅梁８２２と、出隅梁８２２を下方から支持させる支柱８２１とによって主に構成される。
【００９２】
出隅梁８２２は、例えばウェブ８２２ａと上下のフランジ８２２ｂ，８２２ｃとを有するＣ形鋼（溝形鋼）などの開放断面の鋼材によって形成される。詳細には、図１８に示すように、ウェブ８２２ａと平行な垂直片がフランジ８２２ｂ，８２２ｃの縁部に形成されたリップ付きＣ形鋼を使用することができる。
【００９３】
そして、出隅梁８２２の側面を形成するウェブ８２２ａに対して、軒先梁８１の他端が接合される。詳細には図１７に示すように、軒先梁８１の端プレート８１１を出隅梁８２２のウェブ８２２ａの入隅空間２Ｃ側の面に接触させて、ボルト８１２，８１２を使って接合させる。
【００９４】
ここで、図１７（ａ）は、図１６のＡ部を出隅梁８２２を正面にして見た図である。一方、図１７（ｂ）は、Ａ部を軒先梁８１を正面にして見た図である。このＡ部（開放隅２２）は、入隅空間２Ｃの建物ユニット１と隣接することのない外部に面した隅部に形成される。
【００９５】
出隅梁８２２の軒元側出隅２３側の端部（図１６のＣ部）は、図１５に示すように端プレート８２３によって塞がれて、柱１１Ｂの側面に接合される。詳細には図１９に示すように、出隅梁８２２の端プレート８２３を柱１１Ｂの側面に接触させて、ボルト８２３ａ，８２３ａを使って接合させる。
【００９６】
ここで、図１９は、図１６のＣ部を出隅梁８２２を正面にして見た図である。このＣ部（軒元側出隅２３）は、入隅空間２Ｃの桁側に隣接する２階の建物ユニット１の天井梁１２Ｂ，１２と柱１１Ｂとの接合部に隣接している。
【００９７】
一方、出隅梁８２２の中央付近の下面は、図１５に示すように支柱８２１の上端に接合される。この支柱８２１は、下端が１階の建物ユニット１Ａの柱１１の上端に接合されている（図１６参照）。
【００９８】
そして、支柱８２１の上端は、上端プレート８２１ａによって塞がれる。この上端プレート８２１ａは、支柱８２１の本体断面よりも面積が広い板材である。
【００９９】
ここで、図１８（ａ）は、図１６のＢ部を出隅梁８２２を正面にして見た図である。一方、図１８（ｂ）は、Ｂ部を軒先梁８１と平行な線で切断した断面図である。このＢ部は、上面がベランダとなる通常の半分の大きさの建物ユニット１Ａの出隅部の上方に位置する。
【０１００】
そして図１８に示すように、上端プレート８２１ａを出隅梁８２２の下側のフランジ８２２ｃの下面に接触させて、ボルト８２１ｃを使って接合させる。また、支柱８２１の周囲は、円筒状の支柱カバー８２１ｂによって囲まれる。
【０１０１】
このように構成された実施例３のユニット建物１０Ｈは、軒先梁８１に略直交される出隅梁８２２と、その出隅梁８２２の略中央を下方から支持させる支柱８２１とによって支持体８２が構成される。
【０１０２】
このため、１階の建物ユニット１Ａからさらに張り出された支柱の無い庇部分を、庇パネル４Ｃの一部によって形成することができる。この張り出された庇パネル４Ｃの下方は、地上の車庫スペースの屋根としても機能させることができる。
【０１０３】
なお、他の構成及び作用効果については、前記実施の形態又は他の実施例と略同様であるので説明を省略する。
【０１０４】
以上、図面を参照して、本発明の実施の形態を詳述してきたが、具体的な構成は、この実施の形態又は実施例に限らず、本発明の要旨を逸脱しない程度の設計的変更は、本発明に含まれる。
【０１０５】
例えば、前記実施の形態及び実施例では、建物としてユニット建物１０，１０Ａ−１０Ｈを例に説明したが、これに限定されるものではなく、在来工法などによって構築される天井梁と柱とを接合させた骨組みを有する建物にも本発明を適用することができる。
【０１０６】
また、前記実施の形態及び実施例では、入隅空間２，２Ａ−２Ｃの桁側の外縁に補強体３，８を構成する軒先梁３１，８１を配置する場合について説明したが、これに限定されるものではない。例えば、入隅空間２，２Ａ−２Ｃの妻側の外縁に外縁梁を配置して、それに対向する入隅空間２，２Ａ−２Ｃの妻側の建物ユニット１との間で、上部体の妻側の両側縁を支持させることができる。
【０１０７】
さらに、前記実施の形態及び実施例１，３では、リップ付きのＣ形鋼によって形成される軒先梁３１，５，５Ａ，８１及び出隅梁８２２について説明したが、これに限定されるものではなく、リップ部分のないＣ形鋼、Ｈ形鋼、角形鋼管などいずれの部材によっても外縁梁又は補助梁を製作することができる。
【０１０８】
また、前記実施例３では、出隅梁８２２の略中央に支柱８２１を接合させる構成について説明したが、これに限定されるものではなく、補助梁のいずれの位置に支柱を接合させてもよい。
【符号の説明】
【０１０９】
１０，１０Ａ−１０Ｈ  ユニット建物（建物）
１，１Ａ        建物ユニット
１１，１１Ａ，１１Ｂ  柱
１１ｂ          蓋部（上端面）
１２，１２Ａ，１２Ｂ  天井梁
２，２Ａ−２Ｃ  入隅空間
２１            出隅
３１            軒先梁（外縁梁）
３１１          突出片
３２            支柱（支持体）
３３            支柱（支持体）
３４            軒先梁（外縁梁）
３５            支柱（支持体）
４，４Ａ−４Ｃ  庇パネル（上部体）
４１            側枠（側縁）
４５            受け金具
５，５Ａ        軒先梁（外縁梁）
５１，５２      Ｃ形鋼
５４            補強板
６１，６３，６４  上階ユニット（上部体）
８              補強体
８１            軒先梁（外縁梁）
８２            支持体
８２１          支柱
８２２          出隅梁
【図１】
2015083771.tif 000003
【図２】
2015083771.tif 000004
【図３】
2015083771.tif 000005
【図４】
2015083771.tif 000006
【図５】
2015083771.tif 000007
【図６】
2015083771.tif 000008
【図７】
2015083771.tif 000009
【図８】
2015083771.tif 000010
【図９】
2015083771.tif 000011
【図１０】
2015083771.tif 000012
【図１１】
2015083771.tif 000013
【図１２】
2015083771.tif 000014
【図１３】
2015083771.tif 000015
【図１４】
2015083771.tif 000016
【図１５】
2015083771.tif 000017
【図１６】
2015083771.tif 000018
【図１７】
2015083771.tif 000019
【図１８】
2015083771.tif 000020
【図１９】
2015083771.tif 000021